(57)【要約】【課題】手差し給紙口に媒体をセットすることが容易な画像形成装置を提供すること。【解決手段】一枚毎に媒体を手差し給紙口にセットする画像形成装置であって、前記手差し給紙口において媒体を検出する媒体検出手段と、前記媒体のプリフィード条件を保持するプリフィード条件保持手段と、所定の時間内に前記手差し給紙口において媒体が検出される回数に基づき、手差しエラーを検出する手差しエラー検出手段と、前記手差しエラーが検出された場合に、前記プリフィード条件保持手段が保持するプリフィード条件により、プリフィード条件を変更するプリフィード条件変更手段とを有する画像形成装置。【選択図】図２
2008129441.tif 000002
【特許請求の範囲】
【請求項１】
一枚毎に媒体を手差し給紙口にセットする画像形成装置であって、
前記手差し給紙口において媒体を検出する媒体検出手段と、
前記媒体のプリフィード条件を保持するプリフィード条件保持手段と、
所定の時間内に前記手差し給紙口において媒体が検出される回数に基づき、手差しエラーを検出する手差しエラー検出手段と、
前記手差しエラーが検出された場合に、前記プリフィード条件保持手段が保持するプリフィード条件により、プリフィード条件を変更するプリフィード条件変更手段と
を有することを特徴とする画像形成装置。
【請求項２】
前記媒体のプリフィード条件は、プリフィードの線速、プリフィードを開始するまでの時間、又は、プリフィードする媒体の量であることを特徴とする請求項１記載の画像形成装置。
【請求項３】
前記プリフィード条件、又は、前記プリフィード条件変更手段の動作の有効又は無効を入力するプリフィード条件入力手段を有することを特徴とする請求項１記載の画像形成装置。
【請求項４】
前記プリフィード条件保持手段は、媒体の種類、又は、媒体のサイズ毎に、対応するプリフィード条件を保持することを特徴とする請求項１記載の画像形成装置。
【請求項５】
前記手差しエラーが検出された場合に、手差し給紙口の確認を促す画面を生成する手差し給紙口確認画面生成手段を有することを特徴とする請求項１記載の画像形成装置。
【発明の詳細な説明】
【技術分野】
【０００１】
本発明は画像形成装置に関する。
【背景技術】
【０００２】
従来から、用紙カセットの他に手差し給紙口より媒体を供給する画像形成装置がある。手差し給紙口から供給する媒体は、例えば、印刷可能なサイズの中で特に大きいサイズ若しくは小さいサイズ、媒体の材質が特殊、又は、所定の色や印字等により枚数が限られたもの等、である。そこで、このような媒体を確実に供給するために、一枚ずつ手差し給紙口から供給する、所謂「一枚手差し」の機能を有する画像形成装置がある。
【０００３】
例えば、特開２００６−６２８１６号公報（特許文献１）には、手差し給紙口に用紙がセットされている場合に、用紙カセットによる給紙の機能を選択できない画像形成装置において、手差し給紙口に用紙がセットされた後に所定の時間が経過したときに、手差し給紙口にセットされた用紙に対して画像を形成することなく、用紙搬送路から排出する画像形成装置が開示されている。
【０００４】
ところで、手差しによる給紙では、画像形成装置の操作者が、媒体を適切に手差し給紙口にセットすることが求められる。そこで、例えば、特開２００１−２２２４２号公報（特許文献２）には、用紙が手差しトレイにセットされた場合に、その用紙を予め少し搬送路に取り込む「プリフィード」を行う画像形成装置が開示されている。そして、プリフィードが行われた際に、用紙が手差しトレイに適切にセットされていないことを検出した場合に、操作者に対して通知する画像処理装置が開示されている。
【特許文献１】特開２００６−６２８１６号公報
【特許文献２】特開２００１−２２２４２号公報
【発明の開示】
【発明が解決しようとする課題】
【０００５】
しかしながら、上記特許文献１及び２では、操作者が目視等によって媒体が適切にセットされていないことを確認し、セットをやり直す場合に、画像形成装置が、再セットに対して適切に動作することは、考慮されていない。
【０００６】
例えば、画像形成装置の操作者は、搬送路に対して媒体が斜めになる「スキュー」を確認することにより、媒体のセットをやり直すことがある。そのような場合に、手差し給紙口において媒体が検出される毎に同じ速度等でプリフィードを行うと、操作者にとって、給紙口にセットするタイミングを計ることが困難になることがある。
【０００７】
本発明は、上記の点に鑑みて、これらの問題を解消するために発明されたものであり、手差し給紙口に媒体をセットすることが容易な画像形成装置を提供することを目的としている。
【課題を解決するための手段】
【０００８】
上記目的を達成するために、本発明の画像形成装置は次の如き構成を採用した。
【０００９】
本発明の画像形成装置は、一枚毎に媒体を手差し給紙口にセットする画像形成装置であって、前記手差し給紙口において媒体を検出する媒体検出手段と、前記媒体のプリフィード条件を保持するプリフィード条件保持手段と、所定の時間内に前記手差し給紙口において媒体が検出される回数に基づき、手差しエラーを検出する手差しエラー検出手段と、前記手差しエラーが検出された場合に、前記プリフィード条件保持手段が保持するプリフィード条件により、プリフィード条件を変更するプリフィード条件変更手段とを有する構成とすることができる。
【００１０】
これにより、手差し給紙口に媒体をセットすることが容易な画像形成装置を提供することができる。
【００１１】
また、上記目的を達成するために、本発明の画像形成装置は、さらに、前記媒体のプリフィード条件は、プリフィードの線速、プリフィードを開始するまでの時間、又は、プリフィードする媒体の量であるように構成することができる。
【００１２】
これにより、媒体をプリフィードする線速、プリフィードを開始するまでの時間、又は、プリフィードする媒体の量を、手差し給紙口への手差しエラーを検出した場合に、変更する画像形成装置を提供することができる。
【００１３】
また、上記目的を達成するために、本発明の画像形成装置は、さらに、前記プリフィード条件、又は、前記プリフィード条件変更手段の動作の有効又は無効を入力するプリフィード条件入力手段を有する構成とすることができる。
【００１４】
これにより、プリフィード条件の変更の動作の有効又は無効を、入力して設定する画像形成装置を提供することができる。
【００１５】
また、上記目的を達成するために、本発明の画像形成装置は、さらに、前記プリフィード条件保持手段は、媒体の種類、又は、媒体のサイズ毎に、対応するプリフィード条件を保持するように構成することができる。
【００１６】
これにより、媒体の種類又はサイズ毎に、対応して、プリフィード条件の変更を行う画像形成装置を提供することができる。
【００１７】
また、上記目的を達成するために、本発明の画像形成装置は、さらに、前記手差しエラーが検出された場合に、手差し給紙口の確認を促す画面を生成する手差し給紙口確認画面生成手段を有するように構成することができる。
【００１８】
これにより、手差しエラーが検出された場合に、操作者に対して、手差し給紙口の確認を促す画像形成装置を提供することができる。
【発明の効果】
【００１９】
本発明の画像形成装置によれば、手差し給紙口に媒体をセットすることが容易な画像形成装置を提供することが可能になる。
【発明を実施するための最良の形態】
【００２０】
以下、本発明の実施例を図面に基づき説明する。    
〔第一の実施の形態〕
（制御部周辺のブロック図）
図１は、本発明の一実施の形態に係る画像形成装置の制御部周辺のブロック図である。図１では、ＣＰＵ１０、センサ２０、表示パネル８０、及び、メモリ９０が、バスを介して接続されている。
【００２１】
ＣＰＵ１０は、画像形成装置１の機能を実現する処理や、画像形成装置１が有するハードウェア等の制御を行う、プログラムを実行する手段である。ＣＰＵ１０が実行するプログラムは、メモリ９０又は図示しないＲＯＭ等に格納されていてもよい。
【００２２】
センサ２０は、図示しない手差し給紙口に記録紙がセットされたことを検出する手段である。表示パネル８０は、操作者に対してメッセージや画像形成装置１の状態等の表示を行う手段であって、さらに、操作者が画像形成装置１に対して様々な設定を行う際の入力手段である。また、メモリ９０は、プリフィード条件等を格納する手段である。
【００２３】
（本発明の一実施の形態に係る画像形成装置１００の機能構成の例の図）
図２は、本発明の一実施の形態に係る画像形成装置１００の機能構成の例の図である。図２の画像形成装置１００は、媒体検出手段１２０、エラー検出手段１１１、プリフィード条件変更手段１１０、及び、プリフィード条件保持手段１９０を有する。画像形成装置１００は、また、プリフィード条件入力手段１８１、手差し給紙口確認画面生成手段１１２、又は、表示手段１８２を有してもよい。画像形成装置１００は、さらに、手差し給紙口１３０、用紙カセット１４０、媒体搬送手段１５０、又は、画像形成手段１６０を有し、画像の形成を行う。
【００２４】
媒体検出手段１２０は、手差し給紙口１３０において媒体を検出する手段である。媒体検出手段１２０は、例えば、センサとして構成される。
【００２５】
エラー検出手段１１１は、媒体検出手段１２０が手差し給紙口１３０において媒体を検出した場合に、さらに、所定の時間内に、再び媒体検出手段１３０が媒体を検出したときに、手差しエラーに基づく、媒体の再セットが行われたと判断する手段である。所定の時間とは、例えば３０秒である。また、手差しエラーとは、例えば、手差し給紙口１３０において、媒体が搬送路に対して斜めになる「スキュー」の状態である。操作者は、スキューを確認すると、媒体を手差し給紙口１３０より取り去り、再びセットを行う。その際に、操作者がセットするタイミングにあわせて、プリフィードの線速、プリフィードを開始するまでの時間、又は、プリフィードする媒体の量を好適にすることが求められる。
【００２６】
プリフィード条件保持手段１９０は、手差し給紙口１３０に媒体がセットされた場合に行うプリフィードの条件を保持する手段である。プリフィード条件は、例えば、プリフィードの線速、媒体が検出されてからプリフィードを開始するまでの時間、又は、プリフィードする媒体の量である。
【００２７】
プリフィード条件保持手段１９０は、さらに、媒体の種類又は媒体のサイズ毎に、対応するプリフィード条件を有してもよい。プリフィード条件保持手段１９０は、また、プリフィード条件の変更を行う設定に係る情報を保持してもよい。これにより、エラー検出手段１１１によって手差しエラーが検出された場合に、プリフィード条件の変更を行うか否かを、予め設定することができる。
【００２８】
プリフィード条件変更手段１１０は、エラー検出手段１１１が、手差しエラーに基づく、媒体の再セットが行われたと判断した場合に、プリフィード条件の変更を行う手段である。プリフィード条件変更手段１１０は、プリフィード条件保持手段１９０が保持するプリフィード条件を、新たなプリフィード条件として設定する。
【００２９】
プリフィード条件変更手段１１０は、また、手差し給紙口１３０において検出された媒体の種類又はサイズに基づき、対応するプリフィード条件を、プリフィード条件保持手段１９０から取得し、新たなプリフィード条件として設定してもよい。
【００３０】
手差し給紙口確認画面生成手段１１２は、エラー検出手段１１１によって手差しエラーが検出された場合に、手差し給紙口１３０の状態を確認するメッセージの画面を生成する手段である。手差し給紙口確認画面生成手段１１２は、例えば、手差し給紙口１３０が、媒体の向きを搬送路に対して好適にする「サイドフェンス」を有する場合に、操作者に対してサイドフェンスの確認を促す画面を生成する。
【００３１】
プリフィード条件入力手段１８１は、プリフィード条件を入力する手段である。プリフィード条件入力手段１８１から入力されたプリフィード条件は、プリフィード条件変更手段１１０により設定されてもよく、また、プリフィード条件保持手段１９０により保持されてもよい。プリフィード条件入力手段１８１は、さらに、媒体の種類又はサイズ毎に対応したプリフィード条件が入力されるように構成されてもよい。
【００３２】
表示手段１８２は、画像形成装置１００の状態等を表示する手段である。表示手段１８２は、また、手差し給紙口確認画面生成手段１１２が生成した画面を表示してもよい。表示手段１８２は、さらに、プリフィード条件入力手段１８１によって入力されるプリフィード条件の入力を促す画面を表示してもよい。
【００３３】
なお、プリフィード条件入力手段１８１と表示手段１８２は、例えば、オペレーションパネルとして構成されてもよい。さらに、プリフィード条件入力手段１８１と表示手段１８２とは、画像形成装置１００に設けられる代わりに、外部に接続されたクライアントＰＣが制御する入力手段又は表示手段として構成されてもよい。
【００３４】
手差し給紙口１３０は、画像形成装置１００が画像を形成する際に用いる媒体がセットされる手段である。媒体は、手差し給紙口１３０に１枚毎にセットされることにより、画像形成装置１００の搬送路に取り込まれる。手差し給紙口１３０は、搬送路に対して媒体の向きを好適にセットするためのサイドフェンスを有してもよい。
【００３５】
用紙カセット１４０は、画像形成装置１００が画像を形成する際に用いる媒体を格納する手段である。用紙カセット１４０は、例えば、媒体のサイズ別に、それぞれ複数の媒体を格納している。媒体は、画像形成装置１００が画像を形成する際に、１枚ずつ取り出される。
【００３６】
媒体搬送手段１５０は、画像形成装置１００が画像を形成する際に、媒体の搬送を行う手段である。媒体搬送手段１５０は、例えば、媒体の搬送路におけるローラ又はベルト等とそれらの制御部とを有する。
【００３７】
画像形成手段１６０は、画像形成装置１００における画像を形成する手段である。画像形成手段１６０は、例えば、転写ドラムを有し、帯電、露光、現像、転写、及び、定着等の処理を実行する手段を有する。
【００３８】
手差し用紙７は、手差し給紙口１３０にセットされることにより、画像形成装置１００の搬送路に取り込まれて画像が形成される。
【００３９】
（プリフィード条件変更手段１１０が行う処理の例）
図３から図１７は、本発明の一実施の形態に係る画像形成装置１００が実行する処理の例のフロー図であって、手差し給紙口１３０において手差しエラーが検出された場合に、プリフィード条件変更手段１１０が行う処理の例である。
【００４０】
（プリフィード条件変更手段１１０が行う基本の処理の例）
図３から図５は、プリフィードの線速、プリフィードが開始されるまでの時間、又は、プリフィードされる媒体の量を変化させる場合の処理の例である。
【００４１】
図３は、プリフィードの線速を変化させる処理の例である。図３のステップＳ１１では、エラー検出手段１１１が、手差し給紙口１３０において所定の時間内に媒体が複数回検出されたか否かを判断し、複数回検出された場合にはステップＳ１３に進み、そうではない場合にはステップＳ１２に進む。なお、所定の時間とは、例えば３０秒である。
【００４２】
ステップＳ１１に続くステップＳ１３では、プリフィード条件変更手段１１０が、プリフィードの線速を低下させる。これにより、操作者が媒体をセットする動作に対し、媒体が搬送路に取り込まれる動作を好適にすることができる。
【００４３】
一方、ステップＳ１１に続くステップＳ１２では、プリフィード条件変更手段１１０は、プリフィード条件の変更を行うことなく、次のステップに進む。
【００４４】
図４は、プリフィードが開始されるまでの時間を変化させる処理の例である。図４のステップＳ２１及びステップＳ２２は、それぞれ図３のステップＳ１１及びステップＳ１２と、同一の処理であるので、ここでは説明を省略する。
【００４５】
ステップＳ２１に続くステップＳ２３では、プリフィード条件変更手段１１０が、プリフィードが開始されるまでの時間を長くする。これにより、操作者が媒体をセットするタイミングに対し、媒体が搬送路に取り込まれるタイミングを好適にすることができる。
【００４６】
図５は、プリフィードする媒体の量を変化させる処理の例である。図５のステップＳ３１及びステップＳ３２は、それぞれ図３のステップＳ１１及びステップＳ１２と、同一の処理であるので、ここでは説明を省略する。
【００４７】
ステップＳ３１に続くステップＳ３３では、プリフィード条件変更手段１１０が、プリフィードされる媒体の量を多くする。これにより、操作者がセットした媒体を、搬送路に取り込む際に、好適に媒体を保持することができる。
【００４８】
なお、図３から図５において、プリフィード条件変更手段１１０が変更するプリフィード条件は、予めプリフィード条件保持手段１９０に保持されているプリフィード条件であってもよく、また、エラー検出手段１１１によって手差しエラーが検出された場合に、表示手段１８２等に手差しエラーの内容が表示されることに基づき、操作者によって入力されるプリフィード条件であってもよい。
【００４９】
（プリフィード条件保持手段１９０が保持するプリフィード条件による処理の例）
図６から図８は、図３から図５において、さらに、プリフィード条件保持手段１９０が保持するプリフィード条件が用いられる場合の処理の例のフロー図である。
【００５０】
図６は、プリフィードの線速を変化させる処理の例である。図６のステップＳ４１及びステップＳ４２は、それぞれ図３のステップＳ１１及びステップＳ１２と、同一の処理であるので、ここでは説明を省略する。
【００５１】
ステップＳ４１に続くステップＳ４３では、プリフィード条件変更手段１１０が、プリフィード条件保持手段１９０によって保持されるプリフィード条件を参照する。ステップＳ４３に続いてステップＳ４４に進み、プリフィード条件変更手段１１０が、ステップＳ４３で参照することにより取得したプリフィード条件を、新たなプリフィード条件として設定する。ここでは、プリフィードの線速を低下させる。
【００５２】
図７は、プリフィードを開始するまでの時間を変更する処理の例である。図７のステップＳ５１及びステップＳ５２は、それぞれ図３のステップＳ１１及びステップＳ１２と、同一の処理であるので、ここでは説明を省略する。
【００５３】
ステップＳ５１に続くステップＳ５３では、プリフィード条件変更手段１１０が、プリフィード条件保持手段１９０によって保持されるプリフィード条件を参照する。ステップＳ５３に続いてステップＳ５４に進み、プリフィード条件変更手段１１０が、ステップＳ５３で参照することにより取得したプリフィード条件を、新たなプリフィード条件として設定する。ここでは、プリフィードが開始されるまでの時間を長くする。
【００５４】
図８は、プリフィードする媒体の量を変化させる処理の例である。図８のステップＳ６１及びステップＳ６２は、それぞれ図３のステップＳ１１及びステップＳ１２と、同一の処理であるので、ここでは説明を省略する。
【００５５】
ステップＳ６１に続くステップＳ６３では、プリフィード条件変更手段１１０が、プリフィード条件保持手段１９０によって保持されるプリフィード条件を参照する。ステップＳ６３に続いてステップＳ６４に進み、プリフィード条件変更手段１１０が、ステップＳ６３で参照することにより取得したプリフィード条件を、新たなプリフィード条件として設定する。ここでは、プリフィードされる媒体の量を多くする。
【００５６】
（プリフィード条件を変更する動作の有効又は無効の設定による処理）
図９は、プリフィード条件を変更する変更する動作の有効又は無効の設定による処理の例である。図９のステップＳ７１及びステップＳ７２は、それぞれ図３のステップＳ１１及びステップＳ１２と、同一の処理であるので、ここでは説明を省略する。
【００５７】
ステップＳ７１に続くステップＳ７３では、プリフィード条件変更手段１１０が、プリフィード条件保持手段１９０によって保持されるプリフィード条件を変更する変更する動作の有効又は無効の設定の情報と、有効に設定されている場合には保持されているプリフィード条件を参照して取得する。ステップＳ７３に続いてステップＳ７４に進み、プリフィード条件変更手段１１０が、ステップＳ７３で参照することにより取得したプリフィード条件を変更する変更する動作の有効又は無効の設定の情報を確認する。動作が有効になっている場合には、ステップＳ７５に進み、動作の有効若しくは無効が設定されていないか、又は、無効に設定されている場合には、ステップＳ７２に進む。
【００５８】
ステップＳ７４に続くステップＳ７５では、プリフィード条件変更手段１１０が、ステップＳ７３で参照して取得したプリフィード条件を、新たなプリフィード条件として設定する。
【００５９】
（媒体の種類に対応したプリフィード条件の変更の処理の例（その１））
図１０は、媒体の種類に対応したプリフィード条件の変更の処理の例のフロー図である。図１０のステップＳ８１及びステップＳ８２は、それぞれ図３のステップＳ１１及びステップＳ１２と同一の処理であるので、ここでは説明を省略する。
【００６０】
ステップＳ８１に続くステップＳ８３では、プリフィード条件変更手段１１０が、画像形成装置１００が有する図示しない記憶手段等に格納されている、設定された紙種の情報を参照し取得を行う。紙種の設定は、図示しない入力手段等から予め操作者によって入力され設定されてもよく、また、紙種の設定の入力が無い場合には、予め定められた紙種であってもよい。
【００６１】
ステップＳ８３に続いてステップＳ８４に進み、プリフィード条件変更手段１１０が、プリフィード条件保持手段１９０によって保持されるプリフィード条件の中から、ステップＳ８３で取得された紙種の情報に対応する、プリフィード条件を変更する動作の有効又は無効の設定の情報を参照して取得する。
【００６２】
ステップＳ８４に続いてステップＳ８５に進み、プリフィード条件変更手段１１０が、ステップＳ８４において参照することにより取得された、プリフィード条件を変更する動作の有効又は無効の情報を確認する。紙種に対応する動作が有効になっている場合には、ステップＳ８６に進み、紙種に対応する動作の有効若しくは無効が設定されていないか、又は無効に設定されている場合には、ステップＳ８２に進む。
【００６３】
ステップＳ８５に続くステップＳ８６では、プリフィード条件変更手段１１０が、プリフィード条件保持手段１９０によって保持されるプリフィード条件を参照して取得し、新たなプリフィード条件として設定する。
【００６４】
なお、図１０では「紙種」に対応した処理を行っているが、画像形成装置１００において参照等される情報は、「紙」の種類に限らず、画像形成装置１００が画像を形成する媒体の種類の情報であればよい。
【００６５】
（媒体のサイズに対応したプリフィード条件の変更の処理の例（その１））
図１１は、媒体のサイズに対応したプリフィード条件の変更の処理の例のフロー図である。図１１のステップＳ９１及びステップＳ９２は、それぞれ図３のステップＳ１１及びステップＳ１２と、同一の処理であるので、ここでは説明を省略する。
【００６６】
ステップＳ９１に続くステップＳ９３では、プリフィード条件変更手段１１０が、画像形成装置１００が有する図示しない記憶手段等に格納されている、設定された紙のサイズの情報を参照し取得を行う。紙のサイズの設定は、図示しない入力手段等から予め操作者によって入力され設定されてもよく、また、紙のサイズの設定の入力が無い場合には、予め定められた紙のサイズであってもよい。
【００６７】
ステップＳ９３に続いてステップＳ９４に進み、プリフィード条件変更手段１１０が、プリフィード条件保持手段１９０によって保持されるプリフィード条件の中から、ステップＳ９３で取得された紙のサイズの情報に対応する、プリフィード条件を変更する動作の有効又は無効の設定の情報を参照して取得する。
【００６８】
ステップＳ９４に続いてステップＳ９５に進み、プリフィード条件変更手段１１０が、ステップＳ９４において参照することにより取得された、プリフィード条件を変更する動作の有効又は無効の情報を確認する。紙のサイズに対応する動作が有効になっている場合には、ステップＳ９６に進み、紙のサイズに対応する動作の有効若しくは無効が設定されていないか、又は無効に設定されている場合には、ステップＳ９２に進む。
【００６９】
ステップＳ９５に続くステップＳ９６では、プリフィード条件変更手段１１０が、プリフィード条件保持手段１９０が保持するプリフィード条件を参照して取得し、新たなプリフィード条件として設定する。
【００７０】
なお、図１１では「紙サイズ」に対応した処理を行っているが、画像形成装置１００において参照等される情報は、「紙」に限らず、画像形成装置１００が画像を形成する媒体のサイズの情報であればよい。
【００７１】
（媒体の種類に対応したプリフィード条件の変更の処理の例（その２））
図１２は、媒体の種類に対応したプリフィード条件の変更の処理の例のフロー図であって、図１０とは異なる例である。図１２では、プリフィード条件を変更する動作の有効又は無効の設定が考慮されておらず、さらに、紙種毎に異なるプリフィード条件が設定される。
【００７２】
図１２のステップＳ１０１及びステップＳ１０２は、それぞれ図３のステップＳ１１及びステップＳ１２と、また、図１２のステップＳ１０３は図１０のステップＳ８１と、それぞれ同一の処理であるので、ここでは説明を省略する。
【００７３】
ステップＳ１０３に続いてステップＳ１０４に進み、プリフィード条件変更手段１１０が、プリフィード条件保持手段１９０が保持するプリフィード条件の中から、ステップＳ１０３で取得された紙種の情報に対応するプリフィード条件を参照して取得する。
【００７４】
ステップＳ１０４に続くステップＳ１０５では、プリフィード条件変更手段１１０が、ステップＳ８４で参照して取得したプリフィード条件を、その紙種に対応する新たなプリフィード条件として設定する。
【００７５】
なお、図１２では「紙種」に対応した処理を行っているが、画像形成装置１００において参照等される情報は、「紙」の種類に限らず、画像形成装置１００が画像を形成する媒体の種類の情報であればよい。
【００７６】
（媒体のサイズに対応したプリフィード条件の変更の処理の例（その２））
図１３は、媒体のサイズに対応したプリフィード条件の変更の処理の例のフロー図である。図１３のステップＳ１１１及びステップＳ１１２は、それぞれ図３のステップＳ１１及びステップＳ１２と、また、図１３のステップＳ１１３図１１のステップＳ９３と、それぞれ同一の処理であるので、ここでは説明を省略する。
【００７７】
ステップＳ１１３に続いてステップＳ１１４に進み、プリフィード条件変更手段１１０が、プリフィード条件保持手段１９０によって保持されるプリフィード条件の中から、ステップＳ１１３で取得された紙のサイズの情報に対応するプリフィード条件を参照して取得する。
【００７８】
ステップＳ１１４に続いてステップＳ１１５に進み、プリフィード条件変更手段１１０が、ステップＳ９４において参照することにより取得された、プリフィード条件を、その紙のサイズに対応する新たなプリフィード条件として設定する。
【００７９】
なお、図１３では「紙サイズ」に対応した処理を行っているが、画像形成装置１００において参照等される情報は、「紙」に限らず、画像形成装置１００が画像を形成する媒体のサイズの情報であればよい。
【００８０】
（エラー検出方法の処理）
図１４及び図１５は、手差しエラーを検出する処理の例のフロー図であって、図１４は、予め設定された回数に基づき手差しエラーを検出する処理の例であり、図１５は、操作者又は管理者等によって設定された回数に基づき手差しエラーを検出する処理の例である。
【００８１】
図１４のステップＳ１２１では、エラー検出手段１１１が、所定の時間内に、手差し給紙口１３０において媒体検出手段１２０行った媒体の検出回数が、所定の回数以上か否かを判断する。所定の回数以上であれば、ステップＳ１２３に進み、そうでなければ、ステップＳ１２２に進む。
【００８２】
ステップＳ１２１に続くステップＳ１２３では、エラー検出手段１１１が、予め画像形成装置１００の出荷時等に設定されている手差しエラー検出のための回数の情報を、図示しない記憶手段を参照して取得し、取得した情報の回数と、ステップＳ１２１で媒体検出手段１２０が媒体を検出した回数とを比較する。媒体検出手段１２０が検出した回数が、記憶手段より取得した回数以上の場合には、ステップＳ１２４に進み、そうではない場合には、ステップＳ１２２に進む。
【００８３】
ステップＳ１２３に続くステップＳ１２４では、プリフィード条件変更手段１１０が、プリフィード条件の変更の処理を行う。より詳細には、図３から図１３において、プリフィード条件変更手段１１０が行った処理の何れかを行う。
【００８４】
一方、ステップＳ１２１又はステップＳ１２３に続くステップＳ１２２では、プリフィード条件の変更の処理は行わずに処理を終了する。
【００８５】
図１５のステップＳ１３１、ステップＳ１３２、及び、ステップＳ１３５は、図１４のステップＳ１２１、ステップＳ１２２、及び、ステップＳ１２４と、それぞれ同一の処理であるので、ここでは説明を省略する。
【００８６】
図１５のステップＳ１３１に続くステップＳ１３３では、エラー検出手段１１１が、プリフィード条件保持手段１９０によって保持される、手差しエラー検出のための回数の情報を参照して取得する。
【００８７】
ステップＳ１３３に続いてステップＳ１３４に進み、エラー検出手段１１１が、ステップＳ１３３で取得された情報の回数と、ステップＳ１３１で媒体検出手段１２０が媒体を検出した回数とを比較し、媒体検出手段１２０が検出した回数が、ステップＳ１３３で取得された情報の回数以上の場合には、ステップＳ１３５に進み、そうではない場合には、ステップＳ１３２に進む。
【００８８】
以上の図１４又は図１５の処理により、エラー検出手段１１１によって、手差し給紙口１３０における手差しエラーの有無の判断が行われる。
【００８９】
（サイドフェンスの確認を促す画面を表示する処理の例）
図１６及び図１７は、サイドフェンスの確認を促す画面を生成し表示する処理の例のフロー図である。
【００９０】
図１６は基本の処理の例である。図１６のステップＳ１４１は、図３のステップＳ１１と同一の処理であるので、ここでは説明を省略する。
【００９１】
図１６のステップＳ１４２では、手差し給紙口確認画面生成手段１１２が、手差し給紙口１３０又は手差し給紙口１３０が有するサイドフェンスが、適切にセットされているか否かを確認することを促す画面を生成し、表示手段１８２がその画面を表示する。
【００９２】
図１７は、動作の有効又は無効の設定に基づく処理の例である。図１７のステップＳ１４５は、図３のステップＳ１１と同一の処理であるので、ここでは説明を省略する。
【００９３】
図１７のステップＳ１５２では、手差し給紙口各員画面生成手段１１２が、図示しない記憶手段等に格納されている、手差し給紙口１３０又は手差し給紙口１３０が有するサイドフェンスが、適切にセットされているか否かを確認することを促す画面を表示する動作の有効又は無効の設定の情報を参照して取得する。
【００９４】
ステップＳ１５２に続いてステップＳ１５３に進み、手差し給紙口画面生成手段１１２が、ステップＳ１５２で取得した情報に基づき、手差し給紙口１３０又は手差し給紙口１３０が有するサイドフェンスが、適切にセットされているか否かを確認することを促す画面を表示する動作が有効に設定されている場合には、ステップＳ１５４に進み、設定がなされていないか又は無効に設定されている場合には、処理を終了する。
【００９５】
ステップＳ１５３に続くステップＳ１５４の処理は、図１６のステップＳ１４２の処理と同一であるので、ここでは説明を省略する。
【００９６】
（表示手段１８２によって表示される画面の例）
図１８から図２２は、表示手段１８２によって表示される画面の例である。
【００９７】
図１８は、プリフィード条件の設定画面の例である。図１８（Ａ）は、プリフィード条件を、それぞれの条件の項目毎に、数値で入力する場合の、入力を促す画面の例である。図１８（Ｂ）は、プリフィード条件の変更を行うか否かを、それぞれの条件の項目毎に、有効又は無効を選択して設定する場合の、入力を促す画面の例である。
【００９８】
図１９は、媒体の種類又はサイズ毎に、プリフィード条件の変更を行うか否かを、それぞれの条件の項目毎に、有効又は無効を選択して設定する場合の、入力を促す画面の例である。図１９（Ａ）は、媒体の種類毎に入力する画面の例であり、図１９（Ｂ）は、媒体のサイズ毎に入力する画面の例である。
【００９９】
図２０は、媒体の種類又はサイズ毎に、プリフィード条件を設定する際の、条件の項目毎に対応する数値の入力を促す画面の例である。図２０（Ａ）は、媒体の種類毎に、プリフィード条件の各項目の数値を入力する場合の例であり、図２０（Ｂ）は、媒体のサイズ毎に、プリフィード条件の各項目の数値を入力する場合の例である。
【０１００】
図２１は、エラー検出手段１１１によって検出される手差しエラーの判断基準の入力を促す画面の例であって、媒体検出手段１２０によって媒体が検出された回数の入力を行う場合の画面の例である。
【０１０１】
図２２は、手差し給紙口確認画面生成手段１１２によって、手差し給紙口１３０の確認を促す画面を生成し、表示することを設定する画面の例である。図２２では、「サイドフェンス確認アラート」として、アラート機能の有効又は無効の設定を行う。
【０１０２】
以上、発明を実施するための最良の形態について説明を行ったが、本発明は、この最良の形態で述べた実施の形態に限定されるものではない。本発明の主旨をそこなわない範囲で変更することが可能である。
【図面の簡単な説明】
【０１０３】
【図１】本発明の一実施の形態に係る画像形成装置の制御部周辺のブロック図。
【図２】本発明の一実施の形態に係る画像形成装置１００の機能構成の例。
【図３】プリフィードの線速を変化させる処理の例のフロー図（その１）。
【図４】プリフィードが開始されるまでの時間を変化させる処理の例のフロー図（その１）。
【図５】プリフィードする媒体の量を変化させる処理の例のフロー図（その１）。
【図６】プリフィードの線速を変化させる処理の例のフロー図（その２）。
【図７】プリフィードが開始されるまでの時間を変化させる処理の例のフロー図（その２）。
【図８】プリフィードする媒体の量を変化させる処理の例のフロー図（その２）。
【図９】プリフィード条件を変更する変更する動作の有効又は無効の設定による処理の例のフロー図。
【図１０】媒体の種類に対応したプリフィード条件の変更の処理の例のフロー図（その１）。
【図１１】媒体のサイズに対応したプリフィード条件の変更の処理の例のフロー図（その１）。
【図１２】媒体の種類に対応したプリフィード条件の変更の処理の例のフロー図（その２）。
【図１３】媒体のサイズに対応したプリフィード条件の変更の処理の例のフロー図（その２）。
【図１４】予め設定された回数に基づき手差しエラーを検出する処理の例のフロー図。
【図１５】操作者又は管理者等によって設定された回数に基づきエラーを検出する処理の例のフロー図。
【図１６】サイドフェンスの確認を促す画面を生成し表示する処理の例のフロー図（その１）。
【図１７】サイドフェンスの確認を促す画面を生成し表示する処理の例のフロー図（その２）。
【図１８】プリフィード条件の設定画面の例。
【図１９】媒体の種類又はサイズ毎にプリフィード条件を設定する際の、動作の有効又は無効の入力を促す画面の例。
【図２０】媒体の種類又はサイズ毎にプリフィード条件を設定する際の、条件の項目毎に対応する数値の入力を促す画面の例。
【図２１】エラーの判断基準の入力を促す画面の例。
【図２２】手差し給紙口１３０の確認を促す画面を生成し表示することを設定する画面の例。
【符号の説明】
【０１０４】
１、１００  画像形成装置
７  手差し用紙
１０  ＣＰＵ
２０  センサ
８０  表示パネル
９０  メモリ
１１０  プリフィード条件変更手段
１１１  エラー検出手段
１１２  手差し給紙口確認画面生成手段
１２０  媒体検出手段
１４０  用紙カセット
１５０  媒体搬送手段
１６０  画像形成手段
１８１  プリフィード条件入力手段
１８２  表示手段
【図１】
2008129441.tif 000003
【図２】
2008129441.tif 000004
【図３】
2008129441.tif 000005
【図４】
2008129441.tif 000006
【図５】
2008129441.tif 000007
【図６】
2008129441.tif 000008
【図７】
2008129441.tif 000009
【図８】
2008129441.tif 000010
【図９】
2008129441.tif 000011
【図１０】
2008129441.tif 000012
【図１１】
2008129441.tif 000013
【図１２】
2008129441.tif 000014
【図１３】
2008129441.tif 000015
【図１４】
2008129441.tif 000016
【図１５】
2008129441.tif 000017
【図１６】
2008129441.tif 000018
【図１７】
2008129441.tif 000019
【図１８】
2008129441.tif 000020
【図１９】
2008129441.tif 000021
【図２０】
2008129441.tif 000022
【図２１】
2008129441.tif 000023
【図２２】
2008129441.tif 000024